(57)【要約】【課題】患者が座った状態でなくても、ニュートラルに近い状態の足の採型が可能な採型台を提供する。【解決手段】本発明に従う採型台は、患者の足の採型を行なう場合に使用される。採型台は、下腿載置台と、調整装置とを備える。下腿載置台には、患者の下腿が載置される。調整装置は、下腿載置台の高さ及び傾きを調整する。この採型台においては、患者の姿勢に応じて、下腿載置台の高さ及び傾きが調整される。したがって、この採型台によれば、患者の姿勢に拘わらず、ニュートラルに近い状態の足を採型することができる。【選択図】図１
2019076356.tif 000002
【特許請求の範囲】
【請求項１】
患者の足の採型を行なう場合に使用される採型台であって、
前記患者の下腿が載置される下腿載置台と、
前記下腿載置台の高さ及び傾きを調整する調整装置とを備える、採型台。
【請求項２】
前記下腿載置台は、前記調整装置に対して着脱可能である、請求項１に記載の採型台。
【請求項３】
前記下腿載置台は、
前記下腿が載置される下腿載置台本体と、
前記下腿載置台本体に接続されており、前記患者の足裏側から第４及び第５中足骨を押圧する押圧部材とを含む、請求項１又は請求項２に記載の採型台。
【請求項４】
前記押圧部材は、
前記患者の足裏側から前記第４及び第５中足骨を押圧する押圧部と、
前記押圧部から延び、前記患者の足から遠ざかる方向に湾曲した湾曲部とを含む、請求項３に記載の採型台。
【発明の詳細な説明】
【技術分野】
【０００１】
本発明は、採型台に関し、特に、患者の足の採型を行なう場合に使用される採型台に関する。
【背景技術】
【０００２】
特許第６０５８５３９号（特許文献１）は、非荷重時の足を採型するための装置を開示する。なお、足の「採型」とは、足裏形状のデジタルデータを取得することである。取得されたデジタルデータに基づいて、たとえば、靴のインソールが作成される。
【０００３】
この装置は、内部にカメラを含んでいる。この装置を用いて足を採型する場合に、患者は、椅子に座り、足の裏をカメラ側に向ける。カメラによって撮影された足裏の画像に基づいて、非荷重時の足の採型が行なわれる。
【０００４】
非荷重時に、人の足は、ニュートラル状態（距骨下関節が中間位に存在する状態）になる。ニュートラル状態において、人の足は、理想的なアーチ形状となる。理想的なアーチ形状の状態において、足の機能は、最大限発揮される。この装置によれば、ニュートラルに近い状態の足を採型することができる（特許文献１参照）。
【先行技術文献】
【特許文献】
【０００５】
【特許文献１】特許第６０５８５３９号
【発明の概要】
【発明が解決しようとする課題】
【０００６】
上記特許文献１に開示されている装置による足の採型は、患者が椅子に座った状態で行なわれる。しかしながら、状況次第では、患者が椅子に座った状態で足を採型することが困難な場合がある。
【０００７】
本発明は、このような問題を解決するためになされたものであって、その目的は、患者等の非採型者が座った状態でなくても、ニュートラルに近い状態の足の採型が可能な採型台を提供することである。
【課題を解決するための手段】
【０００８】
本発明に従う採型台は、患者の足の採型を行なう場合に使用される。採型台は、下腿載置台と、調整装置とを備える。下腿載置台には、患者の下腿が載置される。調整装置は、下腿載置台の高さ及び傾きを調整する。
【０００９】
この採型台においては、患者の姿勢に応じて、下腿載置台の高さ及び傾きが調整される。したがって、この採型台によれば、患者の姿勢に拘わらず、ニュートラルに近い状態の足を採型することができる。
【００１０】
好ましくは、上記採型台において、下腿載置台は、調整装置に対して着脱可能である。
【００１１】
この採型台においては、たとえば、下腿載置台が調整装置から取り外される。したがって、この採型台によれば、下腿載置台が調整装置から取り外された状態で、下腿載置台及び調整装置の各々を容易に持ち運ぶことができる。
【００１２】
好ましくは、上記採型台において、下腿載置台は、下腿載置台本体と、押圧部材とを含む。下腿載置台本体には、下腿が載置される。押圧部材は、下腿載置台本体に接続されており、患者の足裏側から第４及び第５中足骨を押圧する。
【００１３】
第４及び第５中足骨が押圧されると、横足根関節がロックされることが知られている。この採型台においては、患者の第４及び第５中足骨が押圧部材によって押圧される。したがって、この採型台によれば、横足根関節がロックされた状態の足を採型することができる。
【００１４】
さらに好ましくは、押圧部材は、押圧部と、湾曲部とを含む。押圧部は、患者の足裏側から第４及び第５中足骨を押圧する。湾曲部は、押圧部から延び、患者の足から遠ざかる方向に湾曲している。
【００１５】
この採型台においては、湾曲部が患者の足から遠ざかる方向に湾曲している。したがって、この採型台によれば、第４及び第５中足骨以外の部分が必要以上に押圧されないため、軟部組織が潰されて外にはみ出す量が軽減され、足の幅をより正確に読み出すことが可能となる。また、デジタルデータ取得（３Ｄスキャン）を行なう場合に、押圧部材がこれを阻害することを軽減することが可能となる（たとえば、３−Ｄスキャン時に照射される光線を押圧部材が阻害することが軽減される。）。
【発明の効果】
【００１６】
本発明によれば、患者等の非採型者が座った状態でなくても、ニュートラルに近い状態の足の採型が可能な採型台を提供することができる。
【図面の簡単な説明】
【００１７】
【図１】採型台の斜視図である。
【図２】調整装置の斜視図である。
【図３】下腿載置台の表面を示す平面図である。
【図４】下腿載置台の裏面を示す平面図である。
【図５】患者の姿勢が立位である場合の採型台の使用例を示す図である。
【発明を実施するための形態】
【００１８】
以下、本発明の実施の形態について、図面を参照しながら詳細に説明する。なお、図中同一又は相当部分には同一符号を付してその説明は繰り返さない。
【００１９】
［１．採型台］
図１は、本実施の形態に従う採型台１０の斜視図である。採型台１０は、たとえば、義肢装具士によって使用される。義肢装具士は、採型台１０を使用することによって、非荷重時における患者の足を採型することができる。なお、採型台１０によって足を採型される非採型者は、必ずしも患者である必要はなく、たとえば疾患を持たない人（スポーツ選手等）であってもよい。
【００２０】
図１に示されるように、採型台１０は、下腿載置台１００と、調整装置２００とを含んでいる。下腿載置台１００には、患者の下腿が載置される。調整装置２００は、下腿載置台１００の高さ及び傾きを調整するように構成されている。
【００２１】
義肢装具士は、患者の下腿が下腿載置台１００に適切に載置されるように、調整装置２００を操作する。調整装置２００によって下腿載置台１００の高さ及び傾きが調整可能であるため、義肢装具士は、患者の体形や姿勢に拘わらず、患者の下腿を下腿載置台１００に適切に載置することができる。
【００２２】
詳細については後述するが、下腿載置台１００は、調整装置２００に対して着脱可能である。したがって、義肢装具士は、下腿載置台１００を調整装置２００から取り外した状態で、下腿載置台１００及び調整装置２００の各々を容易に持ち運ぶことができる。以下、調整装置２００及び下腿載置台１００について順に説明する。
【００２３】
［２．調整装置］
図２は、調整装置２００の斜視図である。本実施の形態において、調整装置２００は、カメラ用の三脚である。調整装置２００としては、たとえば、ベルボン社製のＵＬＴＲＡ６５５を用いることができる。なお、調整装置２００は、必ずしもカメラ用の三脚である必要はなく、同等の機能を有する装置であればどのような装置であってもよい。
【００２４】
図２に示されるように、調整装置２００は、脚部材２１０と、下腿載置台固定部材２２０とを含んでいる。脚部材２１０には孔部２１５が形成されており、下腿載置台固定部材２２０は孔部２１５に挿入されている。義肢装具士は、脚部材２１０に対する下腿載置台固定部材２２０の高さ方向の位置を調整することができる。
【００２５】
下腿載置台固定部材２２０は、固定部２２２と、ハンドル２２４，２２６とを含んでいる。固定部２２２は、いわゆるクイックシューである。固定部２２２は、下腿載置台１００の固定部１１２（図４）に係合するように構成されている。固定部２２２が固定部１１２に係合することによって、下腿載置台１００は調整装置２００に固定される。なお、下腿載置台１００と調整装置２００との固定は、必ずしもクイックシューによって実現される必要はなく、たとえばネジによって実現されてもよい。
【００２６】
ハンドル２２４は、矢状面における調整を操作可能である。義肢装具士は、ハンドル２２４を操作することによって、固定部２２２を矢状面において傾けることができる。ハンドル２２６は、前額面（冠状面）における調整を操作可能である。義肢装具士は、ハンドル２２６を操作することによって、固定部２２２を前額面において傾けることができる。また、義肢装具士は、（ハンドル２２４及びハンドル２２６の根元付近に存在する）不図示のノブを操作することによって、固定部２２２を水平面において傾ける（回旋させる）ことができる。固定部２２２には下腿載置台１００が取り付けられるため、義肢装具士は、ハンドル２２４，２２６等を操作することによって、下腿載置台１００の高さ及び傾きを調整することができる。
【００２７】
［３．下腿載置台］
図３は、下腿載置台１００の表面を示す平面図である。図４は、下腿載置台１００の裏面を示す平面図である。図３，４を参照して、下腿載置台１００は、下腿載置台本体１１０と、固定部１１２と、面ファスナー１１４と、膝保持部１１７と、接続部１１３，１１５，１２０と、押圧部材１３０とを含んでいる。
【００２８】
下腿載置台本体１１０は、樹脂製の湾曲した部材と、該部材上に貼り付けられたクッション材とによって構成されている。下腿載置台本体１１０には、患者の下腿が載置される。
【００２９】
固定部１１２は、いわゆるクイックシューである。固定部１１２は、下腿載置台本体１１０の裏面に取り付けられている。固定部１１２は、固定部２２２（図２）に係合するように構成されている。
【００３０】
面ファスナー１１４は、フックを有している。面ファスナー１１４は、ループを有する面ファスナー（不図示）と係合する。該ループを有する面ファスナーは、不図示のベルトに設けられている。該ベルトは、下腿載置台本体１１０に載置された患者の下腿を固定するために用いられる。なお、該ベルトは、採型時の患者の姿勢によっては、必ずしも使用される必要はない。
【００３１】
膝保持部１１７は、患者の膝を保持する部材である。膝保持部１１７は、接続部１１３を介して下腿載置台本体１１０の裏面に取り付けられている。膝保持部１１７の素材は、たとえば合成皮革である。
【００３２】
押圧部材１３０は、患者の第４及び第５中足骨を足裏側から押圧する部材である。押圧部材１３０によって患者の第４及び第５中足骨を押圧することによって、患者の横足根関節をロックすることができる。
【００３３】
押圧部材１３０は、押圧部１３２と、湾曲部１３４と、ストレート部１３６とを含んでいる。押圧部１３２は、患者の第４及び第５中足骨を足裏側から押圧する部位である。湾曲部１３４は、押圧部１３２から延びており、患者の足裏から遠ざかる方向に湾曲した略半円状の部位である。ストレート部１３６は、湾曲部１３４から延びたストレート状の部位である。押圧部材１３０においては、湾曲部１３４が設けられることによって、患者の第４及び第５中足骨以外の部分が必要以上に押圧されないようにすることができる。第４及び第５中足骨以外の部分が必要以上に押圧されないため、軟部組織が潰されて外にはみ出す量が軽減され、足の幅をより正確に読み出すことが可能である。また、デジタルデータ取得（３Ｄスキャン）を行なう場合に、押圧部材１３０がこれを阻害することを軽減することが可能となる（たとえば、３Ｄスキャン時に照射される光線を押圧部材１３０が阻害することが軽減される。）。
【００３４】
押圧部材１３０は、接続部１１５，１２０を介して下腿載置台本体１１０の裏面に取り付けられている。接続部１２０は、押圧部材１３０の位置及び傾きを自由に調整可能な装置で構成される。接続部１２０としては、たとえば、Ｍａｎｆｒｏｎｔｔｏ社製の２４４ＭＩＮＩ（フリクションアーム）を用いることができる。
【００３５】
［４．使用方法］
義肢装具士は、患者の下腿を下腿載置台１００に載置し、３Ｄスキャナによって患者の足裏の形状を取得することによって、患者の足の採型を行なうことができる。３Ｄスキャナとしては、たとえば、ＳＨＩＮＩＮＧ  ３Ｄ社のＥｉｎＳｃａｎ−Ｐｒｏを用いることができる。
【００３６】
上述のように、採型台１０においては、調整装置２００を操作することによって、下腿載置台１００の高さ及び傾きを調整することができる。したがって、患者がどのような姿勢であっても、調整装置２００を調整することによって、患者の下腿を下腿載置台１００に載置することができる。
【００３７】
すなわち、義肢装具士は、患者の姿勢が立位、椅子座位、仰臥位及び腹臥位のいずれであっても、調整装置２００を調整することによって、患者の下腿を下腿載置台１００に載置することができる。その結果、義肢装具士は、採型台１０を用いることによって、患者の姿勢に拘わらず、ニュートラルに近い状態の足の採型を行なうことができる。また、義肢装具士は、下腿載置台１００を調整装置２００から取り外し、下腿載置台１００をベッド上に配置し、ベッドに寝ている患者の下腿を下腿載置台１００に載置することによっても患者の足を採型することができる。
【００３８】
図５は、患者の姿勢が立位である場合の採型台１０の使用例を示す図である。図５に示されるように、患者の姿勢が立位であっても、患者の下腿は下腿載置台１００に載置され、患者の足はニュートラル状態に保たれている。さらに、患者の第４及び第５中足骨が押圧部材１３０によって押圧されているため、横足根関節はロックされている。患者の姿勢が椅子座位、仰臥位及び腹臥位のいずれかであったとしても同様に、患者の足をニュートラルな状態かつ横足関節がロックされた状態にすることができる。すなわち、採型台１０によれば、患者が椅子に座っていなくても、ニュートラルな状態かつ横足根関節がロックされた状態の足を採型することができる。
【００３９】
［５．特徴］
以上のように、本実施の形態に従う採型台１０においては、調整装置２００によって下腿載置台１００の高さ及び傾きが調整可能である。したがって、この採型台１０によれば、患者の姿勢に拘わらず、ニュートラルに近い状態の足を採型することができる。
【００４０】
また、本実施の形態に従う採型台１０において、下腿載置台１００は、調整装置２００に対して着脱可能である。したがって、この採型台１０によれば、下腿載置台１００が調整装置２００から取り外された状態で、下腿載置台１００及び調整装置２００の各々を容易に持ち運ぶことができる。
【００４１】
また、本実施の形態に従う採型台１０において、下腿載置台１００に設けられた押圧部材１３０は、患者の足裏側から第４及び第５中足骨を押圧する。したがって、この採型台１０によれば、横足根関節がロックされた状態の足を採型することができる。
【００４２】
また、本実施の形態に従う採型台１０において、押圧部材１３０には、押圧部１３２から延び、患者の足から遠ざかる方向に湾曲した湾曲部１３４が設けられている。したがって、この採型台１０によれば、第４及び第５中足骨以外の部分が必要以上に押圧されないため、軟部組織が潰されて外にはみ出す量が軽減され、足の幅をより正確に読み出すことが可能となる。また、デジタルデータ取得（３Ｄスキャン）を行なう場合に、押圧部材１３０がこれを阻害することを軽減することが可能となる。
【符号の説明】
【００４３】
１０  採型台、１００  下腿載置台、１１０  下腿載置台本体、１１２，２２２  固定部、１１４  面ファスナー、１１３，１１５，１２０  接続部、１１７  膝保持部、１３０  押圧部材、１３２  押圧部、１３４  湾曲部、１３６  ストレート部、２００  調整装置、２１０  脚部材、２１５  孔部、２２０  下腿載置台固定部材、２２４，２２６  ハンドル。
【図１】
2019076356.tif 000003
【図２】
2019076356.tif 000004
【図３】
2019076356.tif 000005
【図４】
2019076356.tif 000006
【図５】
2019076356.tif 000007